(57)【要約】【課題】充電台を小型化し得る電気掃除機を提供することを目的とする。【解決手段】吸引風を発生させる電動送風機を内蔵する掃除機本体１と、掃除機本体１に収納される蓄電池８と、蓄電池８を充電する充電台２５とを備え、掃除機本体１に蓄電池収納室を形成し、蓄電池収納室に蓄電池８を着脱自在に収納し、充電台２５に蓄電池８を差位置する載置部を設ける。これにより、掃除機本体から取り外した蓄電池を充電台に装着して充電することができ、充電台を小型化することができる。【選択図】図１８
2015012946.tif 000002
【特許請求の範囲】
【請求項１】
吸引風を発生させる電動送風機を内蔵する掃除機本体と、前記掃除機本体に収納される蓄電池と、前記蓄電池を充電する充電台とを備え、前記掃除機本体に蓄電池収納室を形成し、前記蓄電池収納室に前記蓄電池を着脱自在に収納し、前記充電台に前記蓄電池を載置する載置部を設けたことを特徴とする電気掃除機。
【請求項２】
前記蓄電池収納室を開閉自在な蓋体を設けた請求項１に記載の電気掃除機。
【請求項３】
前記蓄電池を前記蓄電池収納室に収納した前記掃除機本体を前記充電台の載置部に載置して前記蓄電池を充電可能とした請求項１に記載の電気掃除機。
【発明の詳細な説明】
【技術分野】
【０００１】
本発明は、蓄電池の供給電力により駆動する電気掃除機に関する。
【背景技術】
【０００２】
従来、この種の電気掃除機においては、電動送風機及び蓄電池を内蔵し、蓄電池に接続された本体端子を有する掃除機本体と、掃除機本体を載置する載置部及び充電端子を有する充電台とを備えている（例えば、特許文献１参照）。
【０００３】
電気掃除機は、掃除機本体にホース、延長管、吸込具を接続した状態で、掃除機本体に延長管を係止して収納し、収納状態で、掃除機本体を充電台に載置して充電を行う。
【先行技術文献】
【特許文献】
【０００４】
【特許文献１】実開平３−３０９５６号公報
【発明の概要】
【発明が解決しようとする課題】
【０００５】
しかしながら、掃除機本体を充電台の上に載置する構成であり、収納状態の重心の高い電気掃除機を載置する構成であるため、充電台は電気掃除機を安定に支持するために広い面積を占有する構成に形成されており、広い収納場所を必要とする問題があった。
【０００６】
本発明は、従来技術の有する課題に鑑みてなされたものであり、充電台を小型化し得る電気掃除機を提供することを目的とする。
【課題を解決するための手段】
【０００７】
上記従来技術の有する課題を解決するために、本発明は、吸引風を発生させる電動送風機を内蔵する掃除機本体と、掃除機本体に収納される蓄電池と、蓄電池を充電する充電台とを備え、掃除機本体に蓄電池収納室を形成し、蓄電池収納室に蓄電池を着脱自在に収納し、充電台に蓄電池を載置する載置部を設けたものである。
【発明の効果】
【０００８】
本発明の電気掃除機によれば、掃除機本体から取り外した蓄電池を充電台に装着して充電することができ、充電台を小型化することができる等の効果を奏する。
【図面の簡単な説明】
【０００９】
【図１】本発明の実施の形態１における電気掃除機の斜視図
【図２】同本体掃除機の後方からの斜視図
【図３】同掃除機本体の分解斜視図
【図４】同掃除機本体の断面図
【図５】同蓄電池ケースの斜視図
【図６】同蓄電池ケースの分解斜視図
【図７】同蓄電池ケースの正面図
【図８】同蓄電池ケースの図７におけるＡ−Ａ断面図
【図９】同蓄電池ケースの図７におけるＢ−Ｂ断面図
【図１０】同蓄電池ケースの図７におけるＣ−Ｃ断面図
【図１１】同蓄電池ケースの図７におけるＤ−Ｄ断面図
【図１２】同蓄電池の斜視図
【図１３】同蓄電池ケースの蓋体の斜視図
【図１４】同充電台の斜視図
【図１５】同充電台に掃除機本体を載置した状態を示す斜視図
【図１６】同電池ケースの装着状態を説明する断面図
【図１７】同電池ケースに蓄電池を着脱する状態を説明する斜視図
【図１８】充電台に蓄電池が取り付けられた様子を示す斜視図
【図１９】同コードリールケースの斜視図
【図２０】同コードリールケースの分解斜視図
【発明を実施するための形態】
【００１０】
第１の発明は、吸引風を発生させる電動送風機を内蔵する掃除機本体と、前記掃除機本体に収納される蓄電池と、前記蓄電池を充電する充電台とを備え、前記掃除機本体に蓄電池収納室を形成し、前記蓄電池収納室に前記蓄電池を着脱自在に収納し、前記充電台に前記蓄電池を載置する載置部を設けたものである。
【００１１】
これにより、掃除機本体から取り外した蓄電池を充電台に載置して充電することができるので、充電台を小型化することができる。
【００１２】
第２の発明は、前記蓄電池収納室を開閉自在な蓋体を設けたものである。
【００１３】
これにより、蓄電池は、蓋体により覆われた状態で掃除機本体内に収納されるので、掃除の際に舞い上がった塵埃が端子に付着することがなく、掃除機本体と蓄電池との間で発生する接触不良を抑制でき、使用勝手を向上することができる。
【００１４】
第３の発明は、前記蓄電池を前記蓄電池収納室に収納した前記掃除機本体を前記充電台の載置部に載置して前記蓄電池を充電可能としたものである。
【００１５】
これにより、蓄電池を取り外すことなく、掃除機本体を充電台に載置することで蓄電池を充電することができるので、使用勝手を向上することができる。
【００１６】
以下、図面を参照しながら本発明の電気掃除機の実施の形態について詳細に説明する。なお、この実施の形態によって本発明が限定されるものではない。
【００１７】
（実施の形態１）
本発明の実施の形態１について、図１〜図１４を用いて説明する。
【００１８】
図１は、本発明の実施の形態１における電気掃除機の斜視図である。図２は、同掃除機本体の後方からの斜視図である。図３は、同掃除機本体の分解斜視図である。図４は、同掃除機本体の断面図である。図５は、同蓄電池ケースの斜視図である。図６は、同蓄電池ケースの分解斜視図である。図７は、同蓄電池ケースの正面図である。図８は、同蓄電池ケースの図７におけるＡ−Ａ断面図である。図９は、同蓄電池ケースの図７におけるＢ−Ｂ断面図である。図１０は、同蓄電池ケースの図７におけるＣ−Ｃ断面図である。図１１は、同蓄電池ケースの図７におけるＤ−Ｄ断面図である。図１２は、蓄電池の斜視図である。図１３は、同蓄電池ケースの外蓋の斜視図である。図１４は、充電台の斜視図である。
【００１９】
図１に示すように、本発明の電気掃除機１００は、吸引風を発生させる電動送風機５（図２及び図３参照）を内蔵する掃除機本体１と、被清掃面の塵埃を吸引する吸込具２と、一端が吸込具２に接続される延長管３と、一端が延長管３に接続され、他端が掃除機本体１に接続されるホース４と、から構成されている。
【００２０】
吸込具２には、被清掃面の塵埃を掻きあげる回転ブラシ（図示せず）と、回転ブラシ（図示せず）を回転駆動する電動機（図示せず）と、が内蔵されている。また、ホース４の延長管３側の端部には、使用者が掃除する際に保持する把手部２７を備えた先端パイプ２８が設けられており、この先端パイプ２８を介して延長管３とホース４とが着脱自在に接続されている。さらに、ホース４の掃除機本体１側の端部には、接続パイプ２９が設けられており、この接続パイプ２９を介して掃除機本体１の吸気口３０とホース４とが着脱自在に接続されている。
【００２１】
図２及び図３に示すように、掃除機本体１は、掃除機本体１の下面を形成する下枠体３１と、掃除機本体１の上面を形成する第１の上枠体３２ａと、第１の上枠体３２ａをさらに覆うように構成された第２の上枠体３２ｂと、から構成されており、下枠体３１と第１の上枠体３２ａと第２の上枠体３２ｂは爪やネジ等によって結合されている。掃除機本体１の上部、すなわち、第１の上枠体３２ａの上部には、掃除機本体１を持ち運ぶ際に使用者が保持する本体ハンドル３３が取り付けられている。また、下枠体３１の下面の前方には、走行用のキャスター３４が回動自在に取り付けられている。さらに、掃除機本体１の前方端部には弾性材料で形成された逆止弁３５が取り付けられており、逆止弁３５を覆うように吸気口３０が取り付けられている。また、下枠体３１と第１の上枠体３２ａの間には吸気口３０から流入した空気を集塵装置６に流入させるための吸気パイプ３６が構成され、掃除機本体１の後側の端部には、流入した空気を排出する排気口５３が形成された後枠５２が構成されている。
【００２２】
図４に示すように、掃除機本体１の図中右側面には、電動送風機５に直流電源を供給する蓄電池８を着脱自在に収納する内蔵した蓄電池ケース１０が取り付けられており、蓄電池ケース１０内に蓄電池８を収納する蓄電池収納室を形成している。
【００２３】
図５及び６に基づいて、蓄電池ケース１０を説明する。１７は蓄電池ケース本体で、一端に開口を有する有底筒状に形成され、掃除機本体１側側面から下面にわたって端子部枠体４０を装着する開口部を形成している。蓄電池ケース本体１７の開口側には、環状の支持部１８を形成し、支持部１８外周に、車輪部７ａを回転自在に支持する溝部２３が形成された車軸部３７が装着され、車輪部７ａ及び車軸部３７は、支持部１８に装着される内枠体３８により抜け止めされ、支持される。車軸部３７は、支持部１８と内枠体３８により支持されるため、支持強度を増大でき、車輪部７ａに大きな力が加わった際の変形を抑制している。車軸部３７は、摩擦抵抗の小さい材料、例えばポリアセタールにより形成している。蓄電池ケース本体１７の開口部には、開口部を開閉自在に閉塞する蓋体１９が回動自在に支持されている。
【００２４】
蓄電池ケース本体１７の開口部には、端子部３９を支持する端子部枠体４０が装着され、端子部枠体４０には、蓋体１９に形成した軸孔（図示せず）に挿入され、蓋体１９を回動自在に支持するヒンジ部４１が形成されている。蓋体１９には、蓄電池ケース本体１７を閉塞した状態に係止する尾錠４２が形成されている。
【００２５】
蓋体１９には、図１３に示すように、蓄電池ケース本体１７側に向かって蓄電池８の下部を保持する保持リブ６８が突出形成されている。保持リブ６８の上部には、外側に向かって蓄電池ケース本体１７から突出形成した突起部５９に当接し、蓋体１９の開閉時のガイドとなるガイドリブ６９が形成されており、蓋体１９を開放した状態で、ガイドリブ６９が突起部５９に当接して、蓋体１９の回動を規制している。
【００２６】
図１２に基づいて、蓄電池８を説明する。蓄電池８は、前ケース６１と後ケース６２から構成されており、内部に二次電池を収納している。蓄電池８は、上部にハンドル６５を
有しており、ハンドル６５は、ハンドルアーム６３により伸縮可能に構成されている。蓄電池８の下部には、蓄電池ケース本体１７の端子部枠体４０に嵌合する蓄電池端子部６４が配設され、蓄電池端子部６４には、端子（図示せず）が支持されている。
【００２７】
蓄電池８の掃除機本体１の前後方向の側面には、リブ６６、６７が形成されており、リブ６６、６７は蓄電池８の掃除機本体１における左右方向の中心軸より掃除機本体１の内側に位置するように形成している。
【００２８】
図１４に基づいて、充電台２５を説明する。充電台２５は、電源コード２６が接続された図示しない制御基板が収納されており、端子受部５４を有しており、端子受部５４には、掃除機本体１に装着される蓄電池ケース本体１７の端子部枠体４０と、蓄電池８の蓄電池端子部６４が選択的に接続される。
【００２９】
図４に示すように、掃除機本体１の図中左側面には、電動送風機５に交流電源を供給するコードリール９を内蔵したコードリールケース１１が取り付けられている。
【００３０】
図１９及び図２０に基づいてコードリールケース１１を説明する。２０はコードリールケース本体で、一端に開口を有する有底筒状に形成され、掃除機本体１側側面に電動送風機５の排気の一部が通過する連通口を形成している。コードリールケース本体２０の開口側には、環状の支持部２１を形成し、支持部２１外周に車軸部４３を嵌合支持し、車軸部４３に形成した溝部２４外周に車輪部７ｂが回転自在に支持されている。コードリールケース本体２０には、開口を覆うように蓋体２２がネジにより固定され、コードリールケース本体２０と蓋体２２との間に車輪部７ｂが抜け止めされ、支持されると共に、コードリールケース本体２０と蓋体２２で囲まれる空間にコードリール９が回転自在に支持される。車軸部４３は、摩擦抵抗の小さい材料、例えばポリアセタールにより形成している。４４はコードリールケース本体２０に装着される操作レバーで、コードリール９の巻き取りを操作するためのものである。
【００３１】
以上のように構成された電気掃除機について、以下、図１５〜図１８を加えて、その動作、作用を説明する。
【００３２】
図１５は、充電台に同掃除機本体を載置した状態を示す斜視図である。図１６は、同電池ケースの装着状態を説明する断面図である。図１７は、同電池ケースに蓄電池を着脱する状態を示す斜視図である。図１８は、充電台に蓄電池が取り付けられた様子を示す斜視図である。
【００３３】
使用者が電気掃除機１００を使用して掃除を開始すると、蓄電池８から電動送風機５に電源が供給され、電動送風機５で吸引風が発生される。電動送風機５で吸引風が発生されると、被清掃面上の塵埃が吸込具２から空気とともに吸引される。吸込具２から吸引された塵埃を含む空気は、延長管３及びホース４を介して掃除機本体１の内部へと流入し、集塵装置６で塵埃のみが捕集される。
【００３４】
また、使用者がコードリール９を商用電源に接続し、電気掃除機１００を使用して掃除を開始すると、商用電源から電動送風機５に電源が供給され、電動送風機５で吸引風が発生される。電動送風機５で吸引風が発生されると、被清掃面上の塵埃が吸込具２から空気とともに吸引される。吸込具２から吸引された塵埃を含む空気は、延長管３及びホース４を介して掃除機本体１の内部へと流入し、集塵装置６で塵埃のみが捕集される。
【００３５】
図１６に示すように、使用者が掃除を終了し、蓄電池８を充電するとき、使用者は、電源コード２６を商用電源に接続し、掃除機本体１を充電台２５に載置して、蓄電池８を充
電する。
【００３６】
また、図１６及び図１７に示すように、使用者が掃除を終了し、蓄電池８を単体で充電するとき、使用者は、尾錠４２を動作させて、蓋体１９を掃除機本体１の外側に回動させて蓋体１９を開放し、蓄電池８を取り出して充電台２５に載置し、蓄電池８を充電する。
【００３７】
以上のように、本実施の形態においては、蓄電池８は、掃除機本体１の蓄電池ケース１０内に収納され、蓋体１９により覆われるので、使用者が電気掃除機１００を使用する際、舞い上がった塵埃が掃除機本体１と蓄電池８との接続部に入ることがないため、掃除機本体１と蓄電池８との間で発生する接触不良を抑制することができる。
【００３８】
また、本実施の形態においては、蓄電池８を掃除機本体１に装着する際、蓄電池８は保持リブ６８により、蓄電池ケース１０の端子部枠体４０と蓄電池８の蓄電池端子部６４が嵌合する位置に案内され、蓄電池８の自重により確実に端子部枠体４０と蓄電池端子部６４を嵌合させることができる。
【００３９】
蓄電池８を掃除機本体１から取り外して充電することができるので、電気掃除機全体を持ち運んで充電する場合に比較して取り扱いを容易にすることができ、使用者の充電作業を容易にすることができる。また、電気掃除機全体に比較して小型軽量の蓄電池８を充電するので、充電台２５を小型にすることができ、電気掃除機の収納スペースを少なくすることができる。
【００４０】
掃除機本体１を充電台２５に載置する際には、掃除機本体１の車輪部７ａ、７ｂを接地させた状態で充電するので、充電状態の掃除機本体１の安定性を維持することができ、充電台２５の設置面積を大きくすることなく、充電することができる。
【００４１】
さらに、本実施の形態においては、使用者が蓄電池８の掃除機本体１に装着する際、蓄電池８の向きを掃除機本体１の左右方向に対して逆方向に装着しようとしても、蓄電池８に設けられたリブ６６、６７が蓋体１９の保持リブ６８に干渉し、装着できないことが容易に判断することができ、電気掃除機１００の使い勝手を向上させることができる。
【産業上の利用可能性】
【００４２】
本発明の電気掃除機は、蓄電池を取り外して充電台に載置して充電することができるので、充電台を小型化することができるため、家庭用電気掃除機及び産業用電気掃除機の分野・用途に好適に適用することができる。
【符号の説明】
【００４３】
１  掃除機本体
２  吸込具
３  延長管
４  ホース
５  電動送風機
６  集塵装置
７ａ  車輪部
７ｂ  車輪部
８  蓄電池
９  コードリール
１０  蓄電池ケース
１１  コードリールケース
１７  蓄電池ケース本体
１８  支持部
１９  蓋体
２１  支持部
２２  蓋体
２３  溝部
２４  溝部
２５  充電台
２６  電源コード
２７  把手部
２８  先端パイプ
２９  接続パイプ
３０  吸気口
３１  下枠体
３２ａ  第１の上枠体
３２ｂ  第２の上枠体
３３  本体ハンドル
３４  キャスター
３５  逆止弁
３６  吸気パイプ
３７  車軸部
３８  内枠体
３９  端子部
４０  端子部枠体
４１  ヒンジ部
４２  尾錠
４３  車軸部
５３  排気口
５４  端子受部
５９  突起部
６１  前ケース
６２  後ケース
６３  ハンドルアーム
６４  蓄電池端子部
６５  ハンドル
６６  リブ
６８  保持リブ
１００  電気掃除機
【図１】
2015012946.tif 000003
【図２】
2015012946.tif 000004
【図３】
2015012946.tif 000005
【図４】
2015012946.tif 000006
【図５】
2015012946.tif 000007
【図６】
2015012946.tif 000008
【図７】
2015012946.tif 000009
【図８】
2015012946.tif 000010
【図９】
2015012946.tif 000011
【図１０】
2015012946.tif 000012
【図１１】
2015012946.tif 000013
【図１２】
2015012946.tif 000014
【図１３】
2015012946.tif 000015
【図１４】
2015012946.tif 000016
【図１５】
2015012946.tif 000017
【図１６】
2015012946.tif 000018
【図１７】
2015012946.tif 000019
【図１８】
2015012946.tif 000020
【図１９】
2015012946.tif 000021
【図２０】
2015012946.tif 000022